(57)【要約】【課題】ユーザをより楽しませながらユーザにコンテンツ群を閲覧させることが可能な技術を提供する。【解決手段】ユーザの操作入力に基づき生成される入力信号を取得する取得部と、第１の基準に従って表示順序が決定される第１のコンテンツ群における表示対象を、第１の方向を示す第１の切り替え操作に応じて切り替える表示制御部と、を備え、前記表示制御部は、前記第１のコンテンツ群から選択された第１の選択コンテンツに関連付けられる関連情報に基づき特定される第２のコンテンツ群における表示対象を、第１の方向とは異なる第２の方向を示す第２の切り替え操作に応じて切り替える、表示制御装置が提供される。【選択図】図１
2014126973.tif 000002
【特許請求の範囲】
【請求項１】
ユーザの操作入力に基づき生成される入力信号を取得する取得部と、
第１の基準に従って表示順序が決定される第１のコンテンツ群における表示対象を、第１の方向を示す第１の切り替え操作に応じて切り替える表示制御部と、
を備え、
前記表示制御部は、前記第１のコンテンツ群から選択された第１の選択コンテンツに関連付けられる関連情報に基づき特定される第２のコンテンツ群における表示対象を、第１の方向とは異なる第２の方向を示す第２の切り替え操作に応じて切り替える、表示制御装置。
【請求項２】
前記表示制御部は、前記第１の基準とは異なる第２の基準に従って前記第２のコンテンツ群の表示順序を決定する、
請求項１に記載の表示制御装置。
【請求項３】
前記第２の基準は、前記第２のコンテンツ群を構成する各コンテンツに関連付けられた関連情報に応じて表示順序を決定するための基準である、
請求項２に記載の表示制御装置。
【請求項４】
前記第２の基準は、前記第１の選択コンテンツから算出される評価値と前記第２のコンテンツ群を構成する各コンテンツから算出される評価値との類似度に応じて表示順序を決定するための基準である、
請求項２に記載の表示制御装置。
【請求項５】
前記表示制御部は、前記第１の選択コンテンツに関連付けられた関連情報が複数存在する場合、当該複数の関連情報に応じた複数の第２のコンテンツ群の表示順序を所定の基準に従って決定する、
請求項１に記載の表示制御装置。
【請求項６】
前記所定の基準は、前記複数の第２のコンテンツ群それぞれを構成するコンテンツ数に応じて表示順序を決定するための基準である、
請求項５に記載の表示制御装置。
【請求項７】
前記表示制御装置は、
前記第１のコンテンツ群から選択操作に応じて前記第１の選択コンテンツを選択するコンテンツ選択部と、
前記第１の選択コンテンツに関連付けられた関連情報に基づいて前記第２のコンテンツ群を取得するコンテンツ群取得部と、
を備える、請求項１に記載の表示制御装置。
【請求項８】
前記表示制御装置は、関連情報を選択するための操作に基づいて前記関連情報を選択する関連情報選択部をさらに備え、
前記コンテンツ群取得部は、前記関連情報選択部により選択された前記関連情報に基づいて前記第２のコンテンツ群を取得する、
請求項７に記載の表示制御装置。
【請求項９】
前記表示制御部は、前記第２のコンテンツ群が表示されるように制御する前に、前記第２のコンテンツ群の一部が表示されるように制御し、
前記関連情報選択部は、当該一部が選択された場合に、前記関連情報を選択する、
請求項８に記載の表示制御装置。
【請求項１０】
前記表示制御部は、前記第１の選択コンテンツに戻るための操作がなされた場合には、前記第１の選択コンテンツが再度表示されるように制御する、
請求項１に記載の表示制御装置。
【請求項１１】
前記表示制御部は、所定個数前のコンテンツに戻るための操作がなされた場合には、現在表示されているコンテンツの所定個数前に表示されたコンテンツが再度表示されるように制御する、
請求項１に記載の表示制御装置。
【請求項１２】
前記表示制御部は、前記第１のコンテンツ群を構成するコンテンツのいずれかが表示されるように制御されている場合に、当該コンテンツに関連するコンテンツが存在する場合には、その旨が表示されるように制御する、
請求項１に記載の表示制御装置。
【請求項１３】
前記表示制御部は、前記第１の選択コンテンツと類似の関係にある類似コンテンツが前記第２のコンテンツ群の中に存在する場合には、当該類似コンテンツの表示に対して所定の制限を行う、
請求項１に記載の表示制御装置。
【請求項１４】
前記コンテンツ選択部は、前記第１の選択コンテンツから認識される物体を選択し、
前記コンテンツ群取得部は、前記物体に関する情報を前記関連情報として前記第２のコンテンツ群を取得する、
請求項７に記載の表示制御装置。
【請求項１５】
前記コンテンツ群取得部は、前記第１の選択コンテンツに関連付けられた関連情報と同一または類似の関連情報にそれぞれが関連付けられたコンテンツ群を前記第２のコンテンツ群として取得する、
請求項７に記載の表示制御装置。
【請求項１６】
前記表示制御部は、前記第２のコンテンツ群における表示対象を切り替え操作に応じて切り替え、前記第２のコンテンツ群から選択された第２の選択コンテンツに関連付けられた関連情報に応じた第３のコンテンツ群における表示対象を切り替え操作に応じて切り替える、
請求項１に記載の表示制御装置。
【請求項１７】
前記表示制御部は、前記第１の基準に従って前記第３のコンテンツ群の表示順序を決定する、
請求項１６に記載の表示制御装置。
【請求項１８】
ユーザの操作入力に基づき生成される入力信号を取得することと、
第１の基準に従って表示順序が決定される第１のコンテンツ群における表示対象を、第１の方向を示す第１の切り替え操作に応じて切り替えることと、
前記第１のコンテンツ群から選択された第１の選択コンテンツに関連付けられる関連情報に基づき特定される第２のコンテンツ群における表示対象を、第１の方向とは異なる第２の方向を示す第２の切り替え操作に応じて切り替えることと、を含む、表示制御方法。
【請求項１９】
コンピュータを、
ユーザの操作入力に基づき生成される入力信号を取得する取得部と、
第１の基準に従って表示順序が決定される第１のコンテンツ群における表示対象を、第１の方向を示す第１の切り替え操作に応じて切り替える表示制御部と、
を備え、
前記表示制御部は、前記第１のコンテンツ群から選択された第１の選択コンテンツに関連付けられる関連情報に基づき特定される第２のコンテンツ群における表示対象を、第１の方向とは異なる第２の方向を示す第２の切り替え操作に応じて切り替える、表示制御装置として機能させるためのプログラムを記録した、コンピュータに読み取り可能な記録媒体。
【発明の詳細な説明】
【技術分野】
【０００１】
本開示は、表示制御装置、表示制御方法および記録媒体に関する。
【背景技術】
【０００２】
近年、通信技術の発達や記録媒体の記憶容量の増加に伴って、ユーザによって扱われるコンテンツの数も増大してきている。そこで、コンテンツ群を簡易に閲覧できるようにするための技術として様々な技術が開示されている。例えば、表示部に対するユーザの近接操作の方向に対応して、所定の順番に従ってコンテンツ群をスクロール表示させる技術が開示されている（例えば、特許文献１参照。）。
【０００３】
かかる技術によれば、近接操作の方向に対応して、所定の順番に従って画面の一方向にコンテンツ群がスクロール表示されるため、コンテンツ群を簡易に閲覧できるようにすることができる。
【先行技術文献】
【特許文献】
【０００４】
【特許文献１】特開２０１２−１３３５２５号公報
【発明の概要】
【発明が解決しようとする課題】
【０００５】
しかしながら、画面の一方向にコンテンツ群が所定の順番に従ってスクロール表示されるだけでは、順次に表示されるコンテンツ群のバリエーションが乏しい。そのため、かかる技術はユーザを楽しませながらユーザにコンテンツ群を閲覧させる技術としては十分ではない。したがって、ユーザをより楽しませながらユーザにコンテンツ群を閲覧させることが可能な技術が実現されることが望ましい。
【課題を解決するための手段】
【０００６】
本開示によれば、ユーザの操作入力に基づき生成される入力信号を取得する取得部と、第１の基準に従って表示順序が決定される第１のコンテンツ群における表示対象を、第１の方向を示す第１の切り替え操作に応じて切り替える表示制御部と、を備え、前記表示制御部は、前記第１のコンテンツ群から選択された第１の選択コンテンツに関連付けられる関連情報に基づき特定される第２のコンテンツ群における表示対象を、第１の方向とは異なる第２の方向を示す第２の切り替え操作に応じて切り替える、表示制御装置が提供される。
【０００７】
また、本開示によれば、ユーザの操作入力に基づき生成される入力信号を取得することと、第１の基準に従って表示順序が決定される第１のコンテンツ群における表示対象を、第１の方向を示す第１の切り替え操作に応じて切り替えることと、前記第１のコンテンツ群から選択された第１の選択コンテンツに関連付けられる関連情報に基づき特定される第２のコンテンツ群における表示対象を、第１の方向とは異なる第２の方向を示す第２の切り替え操作に応じて切り替えることと、を含む、表示制御方法が提供される。
【０００８】
また、本開示によれば、コンピュータを、ユーザの操作入力に基づき生成される入力信号を取得する取得部と、第１の基準に従って表示順序が決定される第１のコンテンツ群における表示対象を、第１の方向を示す第１の切り替え操作に応じて切り替える表示制御部と、を備え、前記表示制御部は、前記第１のコンテンツ群から選択された第１の選択コンテンツに関連付けられる関連情報に基づき特定される第２のコンテンツ群における表示対象を、第１の方向とは異なる第２の方向を示す第２の切り替え操作に応じて切り替える、表示制御装置として機能させるためのプログラムを記録した、コンピュータに読み取り可能な記録媒体が提供される。
【発明の効果】
【０００９】
以上説明したように本開示によれば、ユーザをより楽しませながらユーザにコンテンツ群を閲覧させることが可能である。
【図面の簡単な説明】
【００１０】
【図１】本開示の実施形態に係る表示制御装置の外観例を示す図である。
【図２】本開示の実施形態に係る表示制御装置の機能構成例を示す図である。
【図３】本開示の実施形態に係る表示制御装置の機能の概要を説明するための図である。
【図４】関連コンテンツが存在する旨を示す表示の第１の例を示す図である。
【図５】関連コンテンツが存在する旨を示す表示の第２の例を示す図である。
【図６】関連情報を選択するための画面の第１の例を示す図である。
【図７】図６に示した画面において関連情報を選択する手法の一例を示す図である。
【図８】図６に示した画面において関連情報を選択する手法の一例を示す図である。
【図９】関連情報が選択された後に表示制御される画面の一例を示す図である。
【図１０】関連情報を選択するための画面の第２の例を示す図である。
【図１１】関連情報を選択するための画面の第３の例を示す図である。
【図１２】通常表示状態に戻す手法の一例を示す図である。
【図１３】通常表示状態に戻った後に表示制御される画面の一例を示す図である。
【図１４】類似コンテンツの表示制限について説明するための図である。
【図１５】類似コンテンツの表示制限がされた画面の一例を示す図である。
【図１６】類似コンテンツの表示制限が解除された画面の一例を示す図である。
【図１７】所定個数前に表示されたコンテンツの再表示を説明するための図である。
【図１８】所定個数前に表示されたコンテンツの再表示のための画面の一例を示す図である。
【図１９】選択コンテンツの再表示のための画面の第１の例を示す図である。
【図２０】選択コンテンツの再表示のための画面の第２の例を示す図である。
【図２１】選択コンテンツの再表示のための画面の第３の例を示す図である。
【図２２】選択コンテンツから認識される物体を選択するための画面の一例を示す図である。
【図２３】本開示の実施形態に係る表示制御装置の動作の一例を示す図である。
【図２４】本開示の実施形態に係る表示制御装置のハードウェア構成例を示す図である。
【発明を実施するための形態】
【００１１】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１２】
また、本明細書および図面において、実質的に同一の機能構成を有する複数の構成要素を、同一の符号の後に異なるアルファベットまたは数字を付して区別する場合もある。ただし、実質的に同一の機能構成を有する複数の構成要素の各々を特に区別する必要がない場合、同一符号のみを付する。
【００１３】
また、以下に示す項目順序に従って当該「発明を実施するための形態」を説明する。
１．実施形態
１−１．表示制御装置の外観例
１−２．表示制御装置の機能構成例
１−３．表示制御装置の機能の概要
１−４．表示制御装置の機能の詳細
１−５．類似コンテンツの表示制限
１−６．コンテンツの再表示
１−７．コンテンツ内の物体の選択
１−８．表示制御装置の動作の例
１−９．ハードウェア構成例
２．むすび
【００１４】
＜＜１．実施形態＞＞
まず、本開示の実施形態について説明する。
【００１５】
［１−１．表示制御装置の外観例］
最初に、本開示の実施形態に係る表示制御装置１０の外観例について説明する。図１は、本開示の実施形態に係る表示制御装置１０の外観例を示す図である。例えば、表示制御装置１０は、コンテンツが表示画面１４１に表示されるように制御することが可能である。
【００１６】
ここで、コンテンツの種類は特に限定されない。例えば、コンテンツは、画像データであってもよいし、テキストデータであってもよいし、その他の種類のコンテンツであってもよい。画像データは、静止画の画像データであってもよいし、動画像の画像データであってもよい。図１に示された例では、表示制御装置１０が表示画面１４１を備えているが、表示画面１４１は、表示制御装置１０の外部に存在してもよく、ネットワークを介して表示制御装置１０と接続されていてもよい。
【００１７】
ここで、例えば、画面の一方向にコンテンツ群が所定の順番に従ってスクロール表示する技術では、順次に表示されるコンテンツ群のバリエーションが乏しい。そのため、かかる技術はユーザを楽しませながらユーザにコンテンツ群を閲覧させる技術としては十分ではない。そこで、本明細書においては、ユーザをより楽しませながらユーザにコンテンツ群を閲覧させることが可能な技術を提案する。
【００１８】
以上、本開示の実施形態に係る表示制御装置１０の外観例について説明した。
【００１９】
［１−２．表示制御装置の機能構成例］
続いて、本開示の実施形態に係る表示制御装置１０の機能構成例について説明する。図２は、本開示の実施形態に係る表示制御装置１０の機能構成例を示す図である。図２に示すように、表示制御装置１０は、制御部１１０、操作部１２０、記憶部１３０および表示部１４０を備える。
【００２０】
制御部１１０は、例えば、ＣＰＵ（Ｃｅｎｔｒａｌ  Ｐｒｏｃｅｓｓｉｎｇ  Ｕｎｉｔ）などのプロセッサに相当する。制御部１１０は、記憶部１３０または他の記憶媒体に記憶されるプログラムを実行することにより、制御部１１０が有する様々な機能を発揮する。例えば、制御部１１０は、操作部１２０からの入力信号を取得する取得部としても機能し得る。制御部１１０により取得される入力信号には各種の操作が含まれる。制御部１１０は、表示制御部１１１、コンテンツ選択部１１２、関連情報選択部１１３およびコンテンツ群取得部１１４を有する。表示制御部１１１、コンテンツ選択部１１２、関連情報選択部１１３およびコンテンツ群取得部１１４それぞれが有する機能については後に説明する。
【００２１】
操作部１２０は、ユーザ操作を検出して制御部１１０に出力する。例えば、操作部１２０は、ユーザの操作入力に基づいて入力信号を生成する。本明細書においては、操作部１２０がタッチパネルにより構成される場合を想定しているため、ユーザ操作はユーザの指を操作体として入力される。しかし、操作部１２０はタッチパネル以外のハードウェアにより構成されていてもよい。なお、図２に示した例では、操作部１２０は表示制御装置１０と一体化されているが、操作部１２０は、表示制御装置１０と別体に構成されていてもよい。
【００２２】
記憶部１３０は、半導体メモリまたはハードディスクなどの記憶媒体を用いて、制御部１１０を動作させるためのプログラムを記憶する。また、例えば、記憶部１３０は、プログラムによって使用される各種のデータ（例えば、各種の設定情報、コンテンツなど）を記憶することもできる。なお、図２に示した例では、記憶部１３０は表示制御装置１０と一体化されているが、記憶部１３０は表示制御装置１０と別体に構成されていてもよい。
【００２３】
表示部１４０は、表示制御部１１１による制御に従って、各種情報の表示を行う。表示部１４０は、例えば、ＬＣＤ（Ｌｉｑｕｉｄ  Ｃｒｙｓｔａｌ  Ｄｉｓｐｌａｙ）、有機ＥＬ（Ｅｌｅｃｔｒｏｌｕｍｉｎｅｓｃｅｎｃｅ）ディスプレイ装置などにより構成される。なお、図２に示した例では、表示部１４０は表示制御装置１０と一体化されているが、表示部１４０は表示制御装置１０と別体に構成されていてもよい。
【００２４】
以上、本開示の実施形態に係る表示制御装置１０の機能構成例について説明した。
【００２５】
［１−３．表示制御装置の機能の概要］
続いて、本開示の実施形態に係る表示制御装置１０の機能の概要について説明する。図３は、本開示の実施形態に係る表示制御装置１０の機能の概要を説明するための図である。なお、以下において、選択操作はタッチ操作により行われ、切り替え操作はドラッグ操作により行われる例を主に説明するが、選択操作および切り替え操作は、どのような操作によって実現されてもよい。
【００２６】
図３に示すように、コンテンツ群Ｇ１は、第１の基準に従って表示順序が決定されるコンテンツ群であり、第１のコンテンツ群に相当する。第１の基準はどのような基準であってもよいが、例えば、コンテンツに関連付けられた時刻（例えば、コンテンツの撮影時刻、コンテンツの更新時刻など）に応じた基準であってもよく、コンテンツに関連付けられた時刻の早い順という基準であってもよい。表示制御部１１１は、このようなコンテンツ群Ｇ１における表示対象を、第１の方向を示す第１の切り替え操作に応じて切り替える。
【００２７】
ここで、図３に示すように、コンテンツ群Ｇ１の中から第１の選択コンテンツＥ１が選択されたとする。コンテンツ群Ｇ２は、第１の選択コンテンツＥ１に関連付けられた関連情報に応じたコンテンツ群であり、第２のコンテンツ群に相当する。表示制御部１１１は、コンテンツ群Ｇ２における表示対象を、第１の方向とは異なる第２の方向を示す第２の切り替え操作に応じて切り替える。このように表示制御がなされれば、第１の選択コンテンツＥ１に関連付けられた関連情報に応じたコンテンツ群が順次に表示されるため、ユーザをより楽しませながらユーザにコンテンツ群を閲覧させることが可能となる。
【００２８】
第１の選択コンテンツＥ１の選択およびコンテンツ群Ｇ２の取得は、例えば、制御部１１０によりなされてもよい。より詳細には、例えば、コンテンツ選択部１１２が、コンテンツ群Ｇ１から選択操作に応じて第１の選択コンテンツＥ１を選択し、コンテンツ群取得部１１４が、第１の選択コンテンツＥ１に関連付けられた関連情報に基づいてコンテンツ群Ｇ２を取得すればよい。
【００２９】
ここで、関連情報は、コンテンツに関連する情報であれば特に限定されない。例えば、関連情報は、コンテンツの撮影者を示す情報であってもよいし、コンテンツが撮影された位置を示す情報であってもよいし、コンテンツが撮影されたイベントを示す情報であってもよい。より詳細には、コンテンツ群取得部１１４は、第１の選択コンテンツＥ１に関連付けられた関連情報と同一または類似の関連情報にそれぞれが関連付けられたコンテンツ群をコンテンツ群Ｇ２として取得すればよい。類似の範囲は、あらかじめ定められていてもよい。
【００３０】
第２の基準はどのような基準であってもよいが、例えば、第１の基準とは異なる基準であってもよい。かかる場合、表示制御部１１１は、第１の基準とは異なる第２の基準に従ってコンテンツ群Ｇ２の表示順序を決定すればよい。そのように表示順序が決定されれば、順次に表示されるコンテンツ群（コンテンツ群Ｇ１およびコンテンツ群Ｇ２）のバリエーションがより豊富になることが予想される。
【００３１】
例えば、第２の基準は、コンテンツにあらかじめ関連付けられた関連情報を利用する基準であってもよい。すなわち、第２の基準は、コンテンツ群Ｇ２を構成する各コンテンツに関連付けられた関連情報に応じて表示順序を決定するための基準であってもよい。より詳細には、第２の基準は、第１の選択コンテンツＥ１の関連情報との類似度が高い関連情報が関連付けられたコンテンツほど表示順序を上げる基準であってもよい。
【００３２】
あるいは、第２の基準は、コンテンツから算出される評価値を利用する基準であってもよい。すなわち、第２の基準は、第１の選択コンテンツＥ１から算出される評価値とコンテンツ群Ｇ２を構成する各コンテンツから算出される評価値との類似度に応じた表示順序を決定するための基準であってもよい。より詳細には、第２の基準は、第１の選択コンテンツＥ１から算出される評価値との類似度が高い評価値が算出されたコンテンツほど表示順序を上げる基準であってもよい。
【００３３】
コンテンツに関連付けられる関連情報の数は、１つであってもよいし、複数であってもよい。例えば、表示制御部１１１は、第１の選択コンテンツＥ１に関連付けられた関連情報が複数存在する場合、当該複数の関連情報に応じて複数のコンテンツ群Ｇ２が選択されることがある。このような場合には、複数のコンテンツ群Ｇ２の表示順序としても様々な表示順序が想定される。表示制御部１１１は、複数のコンテンツ群Ｇ２の表示順序を所定の基準に従って決定すればよい。
【００３４】
所定の基準は、複数のコンテンツ群Ｇ２それぞれを構成するコンテンツ数に応じて表示順序を決定するための基準であってもよい。より詳細には、例えば、表示制御部１１１は、コンテンツ数が大きいコンテンツ群Ｇ２ほど、表示順序を上げるように表示順序を決定してもよい。かかる場合には、コンテンツ数がより大きいコンテンツ群Ｇ２の表示順序が上がるため、よりコンテンツ数の大きいコンテンツ群から順次に閲覧することができる。
【００３５】
一方、例えば、表示制御部１１１は、コンテンツ数が小さいコンテンツ群Ｇ２ほど、表示順序を上げるように表示順序を決定してもよい。かかる場合には、コンテンツ数がより小さいコンテンツ群Ｇ２の表示順序が上がるため、より絞られたコンテンツ群から順次に閲覧することができる。
【００３６】
続いて、表示制御部１１１は、コンテンツ群Ｇ２における表示対象を、第２の切り替え操作に応じて切り替え、コンテンツ群Ｇ２から選択された第２の選択コンテンツＥ２に関連付けられた関連情報に応じたコンテンツ群Ｇ３における表示対象を、第１の切り替え操作に応じて切り替える。コンテンツ群Ｇ３は、第３のコンテンツ群に相当する。ここで、表示制御部１１１は、第１の基準に従ってコンテンツ群Ｇ３の表示順序を決定する。これによって、コンテンツ群Ｇ３の表示順序を決定するための基準は、コンテンツ群Ｇ１の表示順序を決定するための基準に戻ることとなる。
【００３７】
同様に、例えば、表示制御部１１１は、コンテンツ群Ｇ３における表示対象を、第１の切り替え操作に応じて切り替え、コンテンツ群Ｇ３から選択された第３の選択コンテンツＥ３に関連付けられた関連情報に応じたコンテンツ群Ｇ４における表示対象を、第２の切り替え操作に応じて切り替えればよい。例えば、表示制御部１１１は、第２の基準に従ってコンテンツ群Ｇ４の表示順序を決定すればよい。
【００３８】
また、同様に、表示制御部１１１は、コンテンツ群Ｇ４における表示対象を、第２の切り替え操作に応じて切り替え、コンテンツ群Ｇ４から選択された第４の選択コンテンツＥ４に関連付けられた関連情報に応じたコンテンツ群Ｇ５における表示対象を、第１の切り替え操作に応じて切り替えればよい。例えば、表示制御部１１１は、第１の基準に従ってコンテンツ群Ｇ５の表示順序を決定すればよい。コンテンツ群Ｇ５から選択コンテンツが選択された後における動作も同様になされ得る。
【００３９】
なお、図３に示した例では、切り替え操作の方向に合わせて各コンテンツ群を配置しているが、切り替え方向は特に限定されない。また、以下では、表示制御部１１１は、各コンテンツ群が二次元上における横方向または縦方向に並べられるように表示制御するが、各コンテンツ群が並べられる方向は、二次元上における横方向または縦方向に限定されない。例えば、表示制御部１１１は、各コンテンツ群が二次元上における斜め方向に並べられるように表示制御してもよいし、三次元上における所定の方向（例えば、奥行き方向）に並べられるように表示制御してもよい。
【００４０】
以上、本開示の実施形態に係る表示制御装置１０の機能の概要について説明した。
【００４１】
［１−４．表示制御装置の機能の詳細］
続いて、本開示の実施形態に係る表示制御装置１０の機能の詳細について説明する。上記したように、コンテンツ群Ｇ１を構成するコンテンツのいずれかが表示されるように制御されている場合において、当該コンテンツに関連するコンテンツ（以下、「関連コンテンツ」とも言う。）が存在する場合がある。かかる場合には、表示制御部１１１は、関連コンテンツが存在する旨が表示されるように制御すれば、ユーザの利便性が高まることが予想される。
【００４２】
図４は、関連コンテンツが存在する旨を示す表示の第１の例を示す図である。図５は、関連コンテンツが存在する旨を示す表示の第２の例を示す図である。各々の図に示した場合において、コンテンツ群Ｇ１を構成するコンテンツＣ１１が表示されるように制御されている。ここで、図４に示すように、例えば、表示制御部１１１は、コンテンツＣ１１の関連コンテンツが存在する旨を示す表示Ｄ１が表示されるようにしてもよい。特に、表示Ｄ１は、表示対象を関連コンテンツに切り替えるために要する切り替え操作の方向を示している。
【００４３】
また、図５に示すように、例えば、表示制御部１１１は、コンテンツＣ１１の関連コンテンツが存在する旨を示す表示Ｄ２が表示されるようにしてもよい。特に、表示Ｄ２は、関連コンテンツの数を示している。また、図５に示すように、表示制御部１１１は、表示Ｄ１が追加的に表示されるように制御してもよい。かかる場合には、表示制御部１１１は、表示Ｄ１ごとに存在する関連コンテンツの数が表示Ｄ２として表示されるように制御してもよい。
【００４４】
なお、関連コンテンツが存在する旨を示す表示Ｄ１，Ｄ２が表示されるタイミングは特に限定されない。例えば、関連コンテンツが存在する旨を示す表示Ｄ１，Ｄ２は、コンテンツが表示されている間は無条件に表示されてもよいし、何らかの操作（例えば、近接操作など）が検出されたときに表示されてもよいし、表示対象が切り替わったときに表示されてもよい。
【００４５】
ここで、上記したように、第１の選択コンテンツＥ１に関連付けられた関連情報に応じたコンテンツ群Ｇ２が取得されるが、関連情報は特に限定されない旨は上記した通りである。例えば、コンテンツ群Ｇ２の取得に利用される関連情報は、複数の関連情報からユーザ操作に基づいて選択される場合も想定される。以下では、複数の関連情報からユーザ操作に基づいて関連情報を選択する例について説明する。
【００４６】
図６は、関連情報を選択するための画面の第１の例を示す図である。図６に示すように、表示制御部１１１が、コンテンツ群Ｇ１を構成するコンテンツＣ１１が表示されるように制御しているとする。ここで、何らかのユーザ操作（例えば、タッチ操作など）がなされると、複数の関連情報それぞれに対応するオブジェクトが表示される。図６に示す例では、オブジェクトＢ１の例として「Ｐｅｒｓｏｎ」、オブジェクトＢ２の例として「Ｅｖｅｎｔ」、オブジェクトＢ３の例として「Ｐｌａｃｅ」が表示されている。なお、複数の関連情報は３つに限定されない。
【００４７】
図７および図８は、図６に示した画面において関連情報を選択する手法の一例を示す図である。表示制御部１１１は、例えば、図６に示した表示画面１４１を表示させた後、図７に示した画面１４１を表示させる。図６に示した表示画面１４１から図７に示した表示画面１４１への遷移は徐々になされてもよい。図７に示した表示画面１４１には、オブジェクトＢ１〜Ｂ３の他に、コンテンツ群Ｇ１のうち、現在表示対象とされているコンテンツＣ１１から切り替え可能なコンテンツＣ１０，Ｃ１２が表示されている。
【００４８】
ここで、例えば、関連情報を選択するための操作の例としてユーザによるドラッグ操作がなされた場合、このドラッグ操作の方向にオブジェクトＢ１が存在すれば（あるいは、ユーザによるドラッグ操作の方向に近接してオブジェクトＢ１が存在すれば）、関連情報選択部１１３は、オブジェクトＢ１に対応する関連情報「Ｐｅｒｓｏｎ」を選択すればよい。
【００４９】
このとき、コンテンツ群取得部１１４は、関連情報選択部１１３により選択された関連情報「Ｐｅｒｓｏｎ」に基づいてコンテンツ群Ｇ２を取得すればよい。図７に示した表示画面１４１には、コンテンツ群Ｇ２のうち、現在表示対象とされているコンテンツＣ１１を第１の選択コンテンツＥ１として、第１の選択コンテンツＥ１から切り替え可能なコンテンツＣ２１が表示されている。
【００５０】
続いて、図８に示すように、ユーザによるドラッグ操作がなされた場合、このドラッグ操作が示す方向にオブジェクトＢ２が存在すれば（あるいは、ユーザによるドラッグ操作の方向に近接してオブジェクトＢ２が存在すれば）、関連情報選択部１１３は、オブジェクトＢ２に対応する関連情報「Ｅｖｅｎｔ」を選択すればよい。
【００５１】
このとき、コンテンツ群取得部１１４は、関連情報選択部１１３により選択された関連情報「Ｅｖｅｎｔ」に基づいてコンテンツ群Ｇ２を取得すればよい。図８に示した表示画面１４１には、コンテンツ群Ｇ２のうち、現在表示対象とされているコンテンツＣ１１から切り替え可能なコンテンツＣ２０が表示されている。なお、選択される関連情報は、図７に示したように１つはなくてもよく、複数であってもよい。かかる場合、複数の関連情報を用いたＯＲ検索によりコンテンツ群が取得されてもよいし、複数の関連情報を用いたＡＮＤ検索によりコンテンツ群が取得されてもよい。
【００５２】
このように、関連情報の選択は、表示対象のコンテンツの切り替えと同時になされてもよいが、あらかじめユーザ操作により行われていてもよい。あるいは、関連情報の選択は、表示制御装置１０に実装されているアプリケーションによって自動的に行われてもよい。かかる場合には、任意の関連情報が選択されてもよいし、関連するコンテンツの数に応じた関連情報が選択されてもよい。例えば、関連するコンテンツの数が最も大きい関連情報が選択されてもよいし、関連するコンテンツの数が最も小さい関連情報が選択されてもよい。
【００５３】
図９は、関連情報が選択された後に表示制御される画面の一例を示す図である。例えば、図９に示すように、ユーザによる指定位置とオブジェクトＢ２の位置とが近づいた場合に、関連情報選択部１１３は、関連情報の選択を確定させてもよい。表示制御部１１１は、切り替え操作に応じて表示対象を切り替え、コンテンツＣ２３が表示されるように制御した後、コンテンツＣ２２が所定のサイズ以上表示されるように制御されたとする。
【００５４】
かかる場合、コンテンツ群取得部１１４は、コンテンツＣ２２を第２の選択コンテンツＥ２として、この第２の選択コンテンツＥ２に関連するコンテンツ群Ｇ３を取得すればよい。図９に示した表示画面１４１には、コンテンツ群Ｇ３のうち、現在表示対象とされているコンテンツＣ２２から切り替え可能なコンテンツＣ３１，Ｃ３２が表示されている。一例として、このように関連情報の選択が行われ得る。
【００５５】
図１０は、関連情報を選択するための画面の第２の例を示す図である。表示制御部１１１は、図１０に示した画面１４１を表示させる。図１０に示した表示画面１４１には、現在表示対象とされているコンテンツＣ１１およびオブジェクトＢ１〜Ｂ３の他に、コンテンツ群Ｇ１のうち、現在表示対象とされているコンテンツＣ１１から切り替え可能なコンテンツＣ１０，Ｃ１２が表示されている。
【００５６】
ここで、例えば、関連情報を選択するための操作の例としてユーザによるドラッグ操作がなされた場合、このドラッグ操作により指定される直線上にオブジェクトＢ１が存在すれば（あるいは、ユーザによるドラッグ操作により指定される直線に近接してオブジェクトＢ１が存在すれば）、関連情報選択部１１３は、オブジェクトＢ１に対応する関連情報「Ｐｅｒｓｏｎ」を選択すればよい。
【００５７】
図１１は、関連情報を選択するための画面の第３の例を示す図である。図１１に示すように、表示制御部１１１が、コンテンツ群Ｇ１を構成するコンテンツＣ１１が表示されるように制御しているとする。ここで、何らかのユーザ操作（例えば、タッチ操作など）がなされると、図６に示した例と同様に、複数の関連情報それぞれに対応するオブジェクトが表示される。さらに、表示制御部１１１は、コンテンツ群Ｇ２が表示されるように制御する前に、コンテンツ群Ｇ２の一部が表示されるように制御し、関連情報選択部１１３は、当該一部が選択された場合に、関連情報を選択してもよい。
【００５８】
図１１に示す例では、表示制御部１１１は、関連情報「Ｐｅｒｓｏｎ」に応じたコンテンツ群の一部に相当するコンテンツＴ１が、オブジェクトＢ１に対応する位置に表示されるように制御している。同様に、表示制御部１１１は、関連情報「Ｅｖｅｎｔ」に応じたコンテンツ群の一部に相当するコンテンツＴ２が、オブジェクトＢ２に対応する位置に表示されるように制御している。また、表示制御部１１１は、関連情報「Ｐｌａｃｅ」に応じたコンテンツ群の一部に相当するコンテンツＴ３が、オブジェクトＢ３に対応する位置に表示されるように制御している。
【００５９】
このように、関連情報を選択する前にコンテンツ群Ｇ２の一部があらかじめ表示されるようにすれば、ユーザは、当該一部を参照しながら、所望の関連情報を選択することが可能となる。なお、コンテンツ群Ｇ２の一部に相当するコンテンツは、各関連情報に対して１つであってもよいし、複数であってもよい。また、コンテンツ群Ｇ２のうち、どのコンテンツをコンテンツ群Ｇ２の一部とするかは限定されないが、例えば、現在表示対象とされているコンテンツから直接的に切り替え可能なコンテンツであってもよい。
【００６０】
図１２は、通常表示状態に戻す手法の一例を示す図である。関連情報が選択された後、その関連情報に応じたコンテンツ群Ｇ２の間で表示対象が切り替えられ、図１２に示すような表示画面１４１が表示されたとする。図１２に示した表示画面１４１には、コンテンツ群Ｇ３のうち、現在表示対象とされているコンテンツＣ２２から切り替え可能なコンテンツＣ３１，Ｃ３２が表示されている。
【００６１】
図１２に示す表示画面１４１が表示されている状態において、タッチ操作によりコンテンツＣ２２が選択されると、表示制御部１１１は、表示画面１４１の表示内容をコンテンツＣ２２の通常表示状態に戻す。図１３は、通常表示状態に戻った後に表示制御される画面の一例を示す図である。図１３に示すように、表示制御部１１１は、選択されたコンテンツＣ２２の通常表示状態に戻すことが可能である。
【００６２】
以上、本開示の実施形態に係る表示制御装置１０の機能の詳細について説明した。
【００６３】
［１−５．類似コンテンツの表示制限］
ここで、上記したように、第１の選択コンテンツＥ１に関連するコンテンツ群Ｇ２が順次に表示されるが、第１の選択コンテンツＥ１と類似の関係にある類似コンテンツがコンテンツ群Ｇ２の中に存在する場合には、当該類似のコンテンツが表示されると、ユーザにとってはあまり楽しみを感じないこともある。そこで、表示制御部１１１は、当該類似コンテンツの表示に対して所定の制限を行ってもよい。当該類似コンテンツの表示に対して所定の制限はどのような制限であってもよい。
【００６４】
図１４は、類似コンテンツの表示制限について説明するための図である。図１４に示すように、イベントＥ１に関するコンテンツ群と、イベントＥ１と同一または類似のイベントＥ２に関するコンテンツ群とが、第１の基準に従って表示順序が決定されたコンテンツ群に含まれているとする。イベントＥ１に関するコンテンツ群の中のコンテンツが現在表示対象とされている。
【００６５】
かかる場合、表示制御部１１１は、イベントＥ１に関するコンテンツ群およびイベントＥ２に関するコンテンツ群は、類似コンテンツであるとし、コンテンツ群Ｇ２における当該類似コンテンツの表示順序を下げてもよい（あるいは、コンテンツ群Ｇ２において当該類似コンテンツの表示を禁止してもよい）。このように当該類似コンテンツの表示を制限することで、他のコンテンツの表示順序が上がり、ユーザにとって楽しみが増すことが期待される。
【００６６】
第１の選択コンテンツＥ１とコンテンツ群Ｇ２を構成するコンテンツとの間に類似関係があるか否かは、それぞれの関連情報同士に類似関係があるか否かによって判断されてもよい。例えば、表示制御部１１１は、関連情報（例えば、撮影時刻など）である場合には、関連情報同士が所定の類似範囲内に収まる場合に、第１の選択コンテンツＥ１とコンテンツ群Ｇ２を構成するコンテンツとが類似すると判断してもよい。
【００６７】
あるいは、表示制御部１１１は、表示順序同士が所定の類似範囲内に収まる場合には、第１の選択コンテンツＥ１とコンテンツ群Ｇ２を構成するコンテンツとが類似すると判断してもよい。また、表示制御部１１１は、第１の選択コンテンツＥ１とコンテンツ群Ｇ２を構成するコンテンツとを解析して、解析結果同士が所定の類似範囲内に収まる場合には、第１の選択コンテンツＥ１とコンテンツ群Ｇ２を構成するコンテンツとが類似すると判断してもよい。
【００６８】
図１５は、類似コンテンツの表示制限がされた画面の一例を示す図である。図１５に示すように、表示制御部１１１は、コンテンツ群Ｇ２を構成するコンテンツのうち、第１の選択コンテンツＥ１と類似するコンテンツは、コンテンツグループＲとして束の状態で表示されるように制御してもよい。一方、ユーザが類似コンテンツも閲覧したいと考えた場合には、ユーザによる所定の解除操作によってコンテンツグループＲを解除することも可能である。
【００６９】
図１６は、類似コンテンツの表示制限が解除された画面の一例を示す図である。図１６に示すように、表示制御部１１１は、ユーザによる所定の解除操作によってコンテンツグループＲを解除することが可能である。所定の解除操作は特に限定されないが、例えば、表示画面１４１に解除ボタンＬが表示されている場合には、解除ボタンＬに対するユーザのタッチ操作により実現され得る。
【００７０】
以上、本開示の実施形態に係る表示制御装置１０による類似コンテンツの表示制限について説明した。
【００７１】
［１−６．コンテンツの再表示］
ここで、ユーザは、図３に示したような表示順序で表示対象を切り替えることができるが、一度表示させたコンテンツを再度表示させたいと考える場合も想定される。かかる場合を考慮し、表示制御部１１１は、一度表示させたコンテンツを再度表示させることが可能であってもよい。
【００７２】
図１７は、所定個数前に表示されたコンテンツの再表示を説明するための図である。図１７に示すように、表示制御部１１１は、所定個数前のコンテンツに戻るための操作がなされた場合には、現在表示されているコンテンツの所定個数前に表示されたコンテンツが再度表示されるように制御してもよい。図１７には、１つ前に表示されたコンテンツが再度表示されるように制御する例が示されているが、所定個数は、１つに限らない。また、所定個数前のコンテンツに戻るための操作はどのような操作によって実現されてもよい。
【００７３】
図１８は、所定個数前に表示されたコンテンツの再表示のための画面の一例を示す図である。図１８に示すように、表示画面１４１には、所定個数前のコンテンツに戻るためのオブジェクトＫが表示されてもよい。かかる場合には、所定個数前のコンテンツに戻るための操作は、オブジェクトＫに対するユーザのタッチ操作により実現され得る。また、図１８に示すように、オブジェクトＫは、現在表示対象とされているコンテンツから所定個数前に表示対象とされたコンテンツへの切り替え操作の方向を示すオブジェクトであってもよい。
【００７４】
また、ユーザは、過去の選択コンテンツ（例えば、第１の選択コンテンツＥ１〜第４の選択コンテンツＥ４など）を再度表示させたいと考える可能性もある。したがって、表示制御部１１１は、第１の選択コンテンツＥ１に戻るための操作がなされた場合には、第１の選択コンテンツＥ１が再度表示されるように制御すればよい。同様に、表示制御部１１１は、選択コンテンツ（例えば、第２の選択コンテンツＥ２〜第４の選択コンテンツＥ４など）に戻るための操作がなされた場合には、その選択コンテンツが再度表示されるように制御すればよい。選択コンテンツに戻るための操作はどのような操作によって実現されてもよい。
【００７５】
図１９は、選択コンテンツの再表示のための画面の第１の例を示す図である。図１９に示すように、表示画面１４１には、選択コンテンツに戻るためのオブジェクトＰが表示されてもよい。かかる場合には、選択コンテンツに戻るための操作は、オブジェクトＰに対するユーザのタッチ操作により過去に選択した選択コンテンツの一覧が履歴として表示された場合、その履歴内の選択コンテンツに対するタッチ操作により実現され得る。
【００７６】
図２０は、選択コンテンツの再表示のための画面の第２の例を示す図である。図２０に示すように、過去の選択コンテンツ（図２０に示した例では、第１の選択コンテンツＥ１〜第４の選択コンテンツＥ４）が、表示対象のコンテンツ群（図２０に示した例では、コンテンツＣ６１，Ｃ６２）に追加される形式によって表示されてもよい。かかる場合には、選択コンテンツに戻るための操作は、過去の選択コンテンツのいずれかに対するタッチ操作により実現され得る。
【００７７】
図２１は、選択コンテンツの再表示のための画面の第３の例を示す図である。図２１に示すように、過去の選択コンテンツ（図２１に示した例では、最近選択された第４の選択コンテンツＥ４）が、表示対象のコンテンツ群（図２０に示した例では、コンテンツＣ６１，Ｃ６２）に追加される形式以外の形式によって表示されてもよい。かかる場合には、選択コンテンツに戻るための操作は、過去の選択コンテンツに対するタッチ操作により実現され得る。なお、図２１に示す例では、最近選択された第４の選択コンテンツＥ４が表示されているが、表示される選択コンテンツは、最近選択されたコンテンツに限られない。
【００７８】
以上、本開示の実施形態に係る表示制御装置１０によるコンテンツの再表示について説明した。
【００７９】
［１−７．コンテンツ内の物体の選択］
以上においては、選択コンテンツに関連するコンテンツ群が表示される場合について主に説明したが、選択コンテンツには物体が映っている場合も想定される。かかる場合には、選択コンテンツから認識される物体に応じたコンテンツ群が表示されるようにしても、ユーザにとっての楽しみが増すことが予想される。例えば、コンテンツ選択部１１２は、第１の選択コンテンツから認識される物体を選択し、コンテンツ群取得部１１４は、物体に関する情報を関連情報として第２のコンテンツ群を取得してもよい。
【００８０】
図２２は、選択コンテンツから認識される物体を選択するための画面の一例を示す図である。例えば、現在表示対象とされているコンテンツＣ７２から、物体の一例に相当する顔領域Ｊが認識された場合を想定する。かかる場合には、顔領域Ｊを選択する操作により、顔領域Ｊに関する情報（例えば、その顔を有する人物に関する情報）を関連情報としてコンテンツ群が取得される。図２２には、当該コンテンツ群の一例として、コンテンツＣ８１が表示されている。
【００８１】
以上、本開示の実施形態に係る表示制御装置１０によるコンテンツ内の物体の選択について説明した。
【００８２】
［１−８．表示制御装置の動作の例］
続いて、本開示の実施形態に係る表示制御装置１０の動作の例について説明する。図２３は、本開示の実施形態に係る表示制御装置の動作の一例を示す図である。図２３に示すように、表示制御部１１１は、第１の基準に従って第１のコンテンツ群が表示されるように制御する（Ｓ１）。第１のコンテンツ群の表示は、第１の基準に従って決定される表示順序に基づいて順次になされる。コンテンツ選択部１１２は、第１のコンテンツ群から第１の選択コンテンツを選択する（Ｓ２）。
【００８３】
続いて、関連情報選択部１１３は、関連情報を選択し（Ｓ３）、コンテンツ群取得部１１４は、関連情報に基づいて第２のコンテンツ群を取得する（Ｓ４）。表示制御部１１１は、第１の基準とは異なる第２の基準に従って第２のコンテンツ群が表示されるように制御する（Ｓ５）。第２のコンテンツ群の表示は、第２の基準に従って決定される表示順序に基づいて順次になされる。コンテンツ選択部１１２は、第２のコンテンツ群から第２の選択コンテンツを選択する（Ｓ６）。
【００８４】
コンテンツ群取得部１１４は、第２の選択コンテンツに関連する第３のコンテンツ群を取得する（Ｓ７）。表示制御部１１１は、第１の基準に従って第３のコンテンツ群が表示されるように制御する（Ｓ８）。続いて、コンテンツ選択部１１２により第３のコンテンツ群から第３の選択コンテンツが選択されるが、第１のコンテンツ群から第１の選択コンテンツを選択する動作と同様になされる。
【００８５】
以上、本開示の実施形態に係る表示制御装置１０の動作の例について説明した。
【００８６】
［１−９．ハードウェア構成例］
続いて、表示制御装置１０のハードウェア構成例について説明する。図２４は、本開示の実施形態に係る表示制御装置１０のハードウェア構成例を示す図である。ただし、図２４に示したハードウェア構成例は、表示制御装置１０のハードウェア構成の一例を示したに過ぎない。したがって、表示制御装置１０のハードウェア構成は、図２４に示した例に限定されない。なお、以下では、本実施形態に係る表示制御装置１０は、例えば、ディスプレイパネル上にタッチパネルを備えた高機能型携帯電話端末やタブレット端末などである場合を主に想定して説明を続ける。
【００８７】
図２４に示した例において、通信アンテナ９０１は、例えば、内蔵アンテナであり、携帯電話網や公衆無線通信網を通じた通話や電子メールの送受信、本実施形態に係る表示制御プログラムを含む各種アプリケーションプログラムのダウンロード、インターネット等と通信するための信号電波の送受信を行う。
【００８８】
アンテナ回路９０２は、アンテナ切り替え器やマッチング回路、フィルタ回路などからなり、送受信回路部９０３は、携帯電話網や公衆無線通信網を通じた送受信信号の周波数変換、変調と復調などを行う。スピーカ９１５は、本実施形態に係る表示制御装置１０に設けられているスピーカであり、例えば、音楽再生や受話音出力、リンガ音（着信音）出力などに用いられる。マイクロホン９１６は、外部音声の集音や送話音声の集音などに用いられる。
【００８９】
音声信号処理部９１４は、スピーカ９１５用の増幅回路、マイクロホン９１６用の増幅回路、制御・演算部９０４から供給される圧縮符号化された音声データを伸張復号化する伸張復号化回路、当該伸張復号化後のデジタル音声データをアナログ音声信号に変換するデジタル／アナログ変換回路、マイクロホン９１６から入力されたアナログ音声信号をデジタル音声データに変換するアナログ／デジタル変換回路、当該デジタル音声データを圧縮符号化する圧縮符号化回路などからなる。
【００９０】
映像信号処理部９１１は、制御・演算部９０４から供給される圧縮符号化された映像データを伸張復号化する伸張復号化回路、当該伸張復号化後のデジタル映像や後述するデジタル放送受信モジュール９０９にて受信されたデジタル放送映像などを、ディスプレイパネル９１２へ表示させるディスプレイパネル駆動回路などからなる。また、本実施形態の場合、映像信号処理部９１１は、制御・演算部９０４から供給されるデスクトップ画像や各種メニュー画像、タッチパネル上の位置に対応した仮想タッチエリア画像などを表示するための映像信号を生成し、それら画像をディスプレイパネル９１２上に表示させる。
【００９１】
キー操作部９１９は、本実施形態に係る表示制御装置１０の筐体上に設けられたハードキーとその周辺回路などからなる。キー操作部９１９は、ユーザによるハードキーの押下操作入力を電気信号へ変換し、その操作入力信号を増幅及びアナログ／デジタル変換し、そのアナログ／デジタル変換後の操作入力データを制御・演算部９０４へ送る。
【００９２】
外部入出力端子部９１８は、例えばケーブルを通じてデータ通信を行う際のケーブル接続用コネクタと外部データ通信用インタフェース回路や、電源ケーブルなどを通じて内部電池を充電する際の充電端子とその充電用インタフェース回路などからなる。本実施形態の表示制御プログラムを含む各種アプリケーションプログラムは、外部入出力端子部９１８を介して取得されてもよい。
【００９３】
また、外部メモリＩ／Ｆ部９１０は、外部メモリなどの記憶媒体が着脱される外部メモリ用スロットと外部メモリデータ通信用インタフェース回路などからなる。本実施形態の表示制御プログラムを含む各種アプリケーションプログラムは、外部メモリＩ／Ｆ部９１０に挿着された外部メモリ等の記憶媒体を介して取得されてもよい。なお、前記記憶媒体は、本実施形態に係る表示制御装置１０の後述する表示を制御するための表示制御アプリケーションプログラムなどを記憶したものであってもよい。
【００９４】
近距離無線通信モジュール９０８は、無線ＬＡＮやブルートゥース（登録商標）などの近距離無線電波用の通信アンテナと、近距離無線通信回路とからなる。本実施形態の表示制御プログラムを含む各種アプリケーションプログラムは、近距離無線通信モジュール９０８を介して取得されてもよい。
【００９５】
デジタル放送受信モジュール９０９は、いわゆるデジタルテレビジョン放送やデジタルラジオ放送などの受信用アンテナとチューナとからなる。デジタル放送受信モジュール９０９は、１チャンネルのデジタル放送の受信のみならず、同時に複数チャンネルのデジタル放送を受信可能となされている。また、デジタル放送受信モジュール９０９は、デジタル放送に多重されたデータも受信可能となされている。
【００９６】
なお、デジタル放送受信モジュール９０９にて受信されたデジタル放送データは、例えば、制御・演算部９０４により圧縮等された後、メモリ部９０５などに記憶（つまり録画）することも可能となされている。また、本実施形態に係る表示制御プログラムを含む各種アプリケーションプログラムは、当該ディスプレイ放送データの一つとして放送されてもよい。
【００９７】
カメラ部９１３は、静止画像や動画像の撮影のための撮像素子，光学系等とその周辺回路、および、撮影補助光を出射するためのライトの駆動回路などからなる。カメラ部９１３による撮影時の静止画データや動画像データは、プレビュー映像データとして映像信号処理部９１１に送られる。これにより、当該カメラ撮影時に、前記ディスプレイパネル９１２にはプレビュー映像が表示される。また、カメラ部９１３にて撮影された静止画データや動画像データを記録する場合、当該撮影された静止画データや動画像データは、制御・演算部９０４に送られて圧縮された後、メモリ部９０５や外部メモリＩ／Ｆ部９１０に接続された外部メモリに記憶される。
【００９８】
非接触通信モジュール９０７は、非接触通信アンテナを通じて、例えば、いわゆるＲＦＩＤ（Ｒａｄｉｏ  Ｆｒｅｑｕｅｎｃｙ−Ｉｄｅｎｔｉｆｉｃａｔｉｏｎ：電波方式認識）や非接触型ＩＣカード等で用いられる非接触通信を行う。
【００９９】
ＧＰＳ（Ｇｌｏｂａｌ  Ｐｏｓｉｔｉｏｎｉｎｇ  Ｓｙｓｔｅｍ）モジュール９０６は、ＧＰＳアンテナを有し、ＧＰＳ測地衛星からのＧＰＳ信号を用いて自端末の現在位置の緯度及び経度を求める。ＧＰＳモジュール９０６により得られたＧＰＳデータ（緯度，経度を表す情報）は制御・演算部９０４へ送られる。これにより、制御・演算部９０４は、自端末の現在位置や移動などを知ることができる。
【０１００】
各種センサ部９１７は、本実施形態に係る表示制御装置１０の状態を検知するための端末状態検知センサなどの各種検知用センサとその周辺回路からなる。各種センサ部９１７としては、一例として傾きセンサ、加速度センサ、方位センサ、温度センサ、湿度センサ、照度センサなどを挙げることができる。各種センサ部９１７による検知信号は、制御・演算部９０４に送られる。これにより、制御・演算部９０４は、表示制御装置１０の状態（傾き、加速度、方位、温度、湿度、照度など）を知ることができる。
【０１０１】
タッチパネル９２１は、ユーザによる操作入力を検出可能な検出面を有する入力操作部であり、ディスプレイパネル９１２の全面に配された透明タッチセンサスクリーンセンサからなる。タッチパネル信号処理部９２０は、タッチパネル９２１からのタッチ検出位置やタッチ軌跡、タッチ継続時間、タッチ時間間隔などを計測し、その計測したデータをタッチ検出データとして制御・演算部９０４へ送出する。なお、タッチパネル９２１およびタッチパネル信号処理部９２０は、いわゆるマルチタッチに対応している。
【０１０２】
メモリ部９０５は、表示制御装置１０の内部に設けられている内蔵メモリと着脱可能なカード状メモリなどからなる。着脱可能なカード状メモリとしては、いわゆるＳＩＭ（Ｓｕｂｓｃｒｉｂｅｒ  Ｉｄｅｎｔｉｔｙ  Ｍｏｄｕｌｅ）情報などを格納するカードなどを挙げることができる。内蔵メモリは、ＲＯＭ（Ｒｅａｄ  Ｏｎｌｙ  Ｍｅｍｏｒｙ）とＲＡＭ（Ｒａｎｄｏｍ  Ａｃｃｅｓｓ  Ｍｅｍｏｒｙ）とからなる。ＲＯＭは、ＯＳ（Ｏｐｅｒａｔｉｎｇ  Ｓｙｓｔｅｍ）、制御・演算部９０４が各部を制御するための制御プログラム、各種の初期設定値、辞書データ、文字予測変換辞書データ、各種音データ、本実施形態に係る表示制御プログラムを含む各種アプリケーションプログラム等を格納している。
【０１０３】
このＲＯＭは、ＮＡＮＤ型フラッシュメモリ（ＮＡＮＤ−ｔｙｐｅ  ｆｌａｓｈ  ｍｅｍｏｒｙ）或いはＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）のような書き換え可能なＲＯＭを含み、電子メールデータ、電話帳やメールアドレス帳のデータ、静止画像や動画像コンテンツのデータ、その他、各種のユーザ設定値などを保存可能となされている。ＲＡＭは、制御・演算部９０４が各種のデータ処理を行う際の作業領域、バッファ領域として随時データを格納する。
【０１０４】
制御・演算部９０４は、ＣＰＵ（中央処理ユニット）からなり、送受信回路部９０３、映像信号処理部９１１、音声信号処理部９１４、ＧＰＳモジュール９０６、非接触通信モジュール９０７、近距離無線通信モジュール９０８、デジタル放送受信モジュール９０９、外部メモリＩ／Ｆ部９１０、カメラ部９１３、各種センサ部９１７、外部入出力端子部９１８、キー操作部９１９、タッチパネル信号処理部９２０など各部を制御し、必要に応じて各種の演算を行う。
【０１０５】
また、制御・演算部９０４は、メモリ部９０５に記憶されている制御プログラムや本実施形態に係る表示制御プログラムを含む各種アプリケーションプログラムを実行する。そして、本実施形態の場合、表示制御プログラムを実行することにより、制御・演算部９０４は、タッチパネル面へのユーザ所望の操作入力位置を略々中心とした当該パネル面上の複数の方向にそれぞれ後述する文字などの所定の情報を割り当てる情報割当制御部として機能する。
【０１０６】
また、本実施形態の場合、表示制御プログラムを実行することにより、制御・演算部９０４は、タッチパネル面上へのユーザによる操作入力方向が前記複数の方向の何れかに略々一致した時、当該略々一致した方向に割り当てられた前記所定の情報をユーザが選択した情報として入力する情報入力制御部として機能する。その他、本実施形態に係る表示制御装置１０は、時間や時刻を計測する時計部、各部へ電力を供給するバッテリとその電力をコントロールするパワーマネージメントＩＣなど、一般的な携帯情報端末に設けられる各構成要素を備えていてもよい。
【０１０７】
＜＜２．むすび＞＞
以上説明したように、本開示の実施形態によれば、ユーザ操作を取得する操作部と、第１の基準に従って表示順序が決定された第１のコンテンツ群における表示対象を切り替え操作に応じて切り替える表示制御部と、を備え、前記表示制御部は、前記第１のコンテンツ群から選択された第１の選択コンテンツに関連付けられた関連情報に応じた第２のコンテンツ群における表示対象を切り替え操作に応じて切り替える、表示制御装置を提供することが可能である。かかる構成によれば、ユーザをより楽しませながらユーザにコンテンツ群を閲覧させることが可能である。
【０１０８】
なお、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１０９】
また、コンピュータに内蔵されるＣＰＵ、ＲＯＭおよびＲＡＭなどのハードウェアを、上記した表示制御装置１０が有する構成と同等の機能を発揮させるためのプログラムも作成可能である。また、該プログラムを記録した、コンピュータに読み取り可能な記録媒体も提供され得る。
【０１１０】
なお、以下のような構成も本開示の技術的範囲に属する。
（１）
ユーザの操作入力に基づき生成される入力信号を取得する取得部と、
第１の基準に従って表示順序が決定される第１のコンテンツ群における表示対象を、第１の方向を示す第１の切り替え操作に応じて切り替える表示制御部と、
を備え、
前記表示制御部は、前記第１のコンテンツ群から選択された第１の選択コンテンツに関連付けられる関連情報に基づき特定される第２のコンテンツ群における表示対象を、第１の方向とは異なる第２の方向を示す第２の切り替え操作に応じて切り替える、表示制御装置。
（２）
前記表示制御部は、前記第１の基準とは異なる第２の基準に従って前記第２のコンテンツ群の表示順序を決定する、
前記（１）に記載の表示制御装置。
（３）
前記第２の基準は、前記第２のコンテンツ群を構成する各コンテンツに関連付けられた関連情報に応じて表示順序を決定するための基準である、
前記（２）に記載の表示制御装置。
（４）
前記第２の基準は、前記第１の選択コンテンツから算出される評価値と前記第２のコンテンツ群を構成する各コンテンツから算出される評価値との類似度に応じて表示順序を決定するための基準である、
前記（２）に記載の表示制御装置。
（５）
前記表示制御部は、前記第１の選択コンテンツに関連付けられた関連情報が複数存在する場合、当該複数の関連情報に応じた複数の第２のコンテンツ群の表示順序を所定の基準に従って決定する、
前記（１）に記載の表示制御装置。
（６）
前記所定の基準は、前記複数の第２のコンテンツ群それぞれを構成するコンテンツ数に応じて表示順序を決定するための基準である、
前記（５）に記載の表示制御装置。
（７）
前記表示制御装置は、
前記第１のコンテンツ群から選択操作に応じて前記第１の選択コンテンツを選択するコンテンツ選択部と、
前記第１の選択コンテンツに関連付けられた関連情報に基づいて前記第２のコンテンツ群を取得するコンテンツ群取得部と、
を備える、前記（１）に記載の表示制御装置。
（８）
前記表示制御装置は、関連情報を選択するための操作に基づいて前記関連情報を選択する関連情報選択部をさらに備え、
前記コンテンツ群取得部は、前記関連情報選択部により選択された前記関連情報に基づいて前記第２のコンテンツ群を取得する、
前記（７）に記載の表示制御装置。
（９）
前記表示制御部は、前記第２のコンテンツ群が表示されるように制御する前に、前記第２のコンテンツ群の一部が表示されるように制御し、
前記関連情報選択部は、当該一部が選択された場合に、前記関連情報を選択する、
前記（８）に記載の表示制御装置。
（１０）
前記表示制御部は、前記第１の選択コンテンツに戻るための操作がなされた場合には、前記第１の選択コンテンツが再度表示されるように制御する、
前記（１）に記載の表示制御装置。
（１１）
前記表示制御部は、所定個数前のコンテンツに戻るための操作がなされた場合には、現在表示されているコンテンツの所定個数前に表示されたコンテンツが再度表示されるように制御する、
前記（１）に記載の表示制御装置。
（１２）
前記表示制御部は、前記第１のコンテンツ群を構成するコンテンツのいずれかが表示されるように制御されている場合に、当該コンテンツに関連するコンテンツが存在する場合には、その旨が表示されるように制御する、
前記（１）に記載の表示制御装置。
（１３）
前記表示制御部は、前記第１の選択コンテンツと類似の関係にある類似コンテンツが前記第２のコンテンツ群の中に存在する場合には、当該類似コンテンツの表示に対して所定の制限を行う、
前記（１）に記載の表示制御装置。
（１４）
前記コンテンツ選択部は、前記第１の選択コンテンツから認識される物体を選択し、
前記コンテンツ群取得部は、前記物体に関する情報を前記関連情報として前記第２のコンテンツ群を取得する、
前記（７）に記載の表示制御装置。
（１５）
前記コンテンツ群取得部は、前記第１の選択コンテンツに関連付けられた関連情報と同一または類似の関連情報にそれぞれが関連付けられたコンテンツ群を前記第２のコンテンツ群として取得する、
前記（７）に記載の表示制御装置。
（１６）
前記表示制御部は、前記第２のコンテンツ群における表示対象を切り替え操作に応じて切り替え、前記第２のコンテンツ群から選択された第２の選択コンテンツに関連付けられた関連情報に応じた第３のコンテンツ群における表示対象を切り替え操作に応じて切り替える、
前記（１）に記載の表示制御装置。
（１７）
前記表示制御部は、前記第１の基準に従って前記第３のコンテンツ群の表示順序を決定する、
前記（１６）に記載の表示制御装置。
（１８）
ユーザの操作入力に基づき生成される入力信号を取得することと、
第１の基準に従って表示順序が決定される第１のコンテンツ群における表示対象を、第１の方向を示す第１の切り替え操作に応じて切り替えることと、
前記第１のコンテンツ群から選択された第１の選択コンテンツに関連付けられる関連情報に基づき特定される第２のコンテンツ群における表示対象を、第１の方向とは異なる第２の方向を示す第２の切り替え操作に応じて切り替えることと、を含む、表示制御方法。
（１９）
コンピュータを、
ユーザの操作入力に基づき生成される入力信号を取得する取得部と、
第１の基準に従って表示順序が決定される第１のコンテンツ群における表示対象を、第１の方向を示す第１の切り替え操作に応じて切り替える表示制御部と、
を備え、
前記表示制御部は、前記第１のコンテンツ群から選択された第１の選択コンテンツに関連付けられる関連情報に基づき特定される第２のコンテンツ群における表示対象を、第１の方向とは異なる第２の方向を示す第２の切り替え操作に応じて切り替える、表示制御装置として機能させるためのプログラムを記録した、コンピュータに読み取り可能な記録媒体。
【符号の説明】
【０１１１】
１０    表示制御装置
１１０  制御部
１１１  表示制御部
１１２  コンテンツ選択部
１１３  関連情報選択部
１１４  コンテンツ群取得部
１２０  操作部
１３０  記憶部
１４０  表示部
【図１】
2014126973.tif 000003
【図２】
2014126973.tif 000004
【図３】
2014126973.tif 000005
【図４】
2014126973.tif 000006
【図５】
2014126973.tif 000007
【図６】
2014126973.tif 000008
【図７】
2014126973.tif 000009
【図８】
2014126973.tif 000010
【図９】
2014126973.tif 000011
【図１０】
2014126973.tif 000012
【図１１】
2014126973.tif 000013
【図１２】
2014126973.tif 000014
【図１３】
2014126973.tif 000015
【図１４】
2014126973.tif 000016
【図１５】
2014126973.tif 000017
【図１６】
2014126973.tif 000018
【図１７】
2014126973.tif 000019
【図１８】
2014126973.tif 000020
【図１９】
2014126973.tif 000021
【図２０】
2014126973.tif 000022
【図２１】
2014126973.tif 000023
【図２２】
2014126973.tif 000024
【図２３】
2014126973.tif 000025
【図２４】
2014126973.tif 000026